(57)【要約】      （修正有）【課題】単体で用いることができ、一回の作業で乳幼児を拘束できる拘束用具を提供する。【解決手段】乳幼児を仰臥または伏臥の状態で拘束する拘束用具１であって、木材または樹脂により形成された板状体２と、板状体２の一方の主面２ａ上に一端が固定された一対の帯状体３、４と、一対の帯状体３、４のそれぞれの他端に設けられ、それぞれの他端を相互に連結させる連結手段９ａ、９と、を備える。このように、板状体２上で帯状体３、４により乳幼児を拘束するため、おむつを交換する際に乳幼児が寝返りをうつのを防止することができる。その結果、おむつ交換に費やされる手間や労力を軽減することができる。【選択図】図１
0003110622.tif 000002
【実用新案登録請求の範囲】
【請求項１】
乳幼児を仰臥または伏臥の状態で拘束する拘束用具であって、
木材または樹脂により形成された板状体と、
前記板状体の一方の主面上に一端が固定された一対の帯状体と、
前記一対の帯状体の他端を相互に連結させる連結手段と、を備えることを特徴とする拘束用具。
【請求項２】
前記一対の帯状体は、前記一対の帯状体を乳幼児の胸部または腹部上で連結して乳幼児を拘束したときに、前期板状体の中央よりも頭部側の位置で、それぞれ前記板状体に固定されていることを特徴とする請求項１記載の拘束用具。
【請求項３】
乳幼児を仰臥または伏臥の状態で拘束する拘束用具であって、
木材または樹脂により形成された板状体と、
前記板状体の一方の主面上に設けられた一対の貫通孔と、
前記貫通孔に挿通された帯状体と、
前記帯状体の両端を相互に連結させる連結手段と、を備えることを特徴とする拘束用具。
【請求項４】
前記一対の貫通孔は、前記帯状体の両端を乳幼児の胸部または腹部上で連結して乳幼児を拘束したときに、前期板状体の中央よりも頭部側の位置に、それぞれ設けられていることを特徴とする請求項３記載の拘束用具。
【請求項５】
前記板状体は、前記一方の主面側を山折りに折曲可能にするヒンジにより連結された一対の板材から構成されていることを特徴とする請求項１から請求項４のいずれかに記載の拘束用具。
【考案の詳細な説明】
【技術分野】
【０００１】
本考案は、乳幼児用の拘束用具に関する。
【背景技術】
【０００２】
従来から、乳幼児のおむつを交換する際には、乳幼児が横に回転したり、寝返りをうったり、起き上がったりするため、おむつの交換は手間や労力がかかる作業となっていた。そして、このようなおむつを換える作業を容易にするため、乳幼児のおむつ交換の際に、乳幼児が拘束を嫌がり寝返りをうつのを防止する器具が知られている。
【０００３】
たとえば、特許文献１に記載の寝返り抑制ベルトは、固定ベルトの中間に固定部材を設け、両端に長さ調節部材付脱着器を設けている。そして、長さ調節部材付脱着器より延長されたベルトを、寝返りを抑制する抑制ベルトとして固定部材に通し、更に抑制ベルトの両端に長さ調節部材付脱着器を設けている。このようにして、おむつ交換の際、乳幼児の寝返りを抑制し、容易なおむつ交換を可能にしている。
【０００４】
また、特許文献２に記載のおむつ交換時の暴れ防止具は、乳幼児の肩巾または腰より大きい板状態の軽量物に簡易式脱着器により取り付けられた肩または腕を固定する固定装置を取り付け乳幼児の肩または腕を固着する。このようにして、乳幼児のおむつ交換時に乳幼児が暴れるのを防止し、円滑なおむつの交換を可能にしている。
【特許文献１】特開２００４−１３００３９号公報
【特許文献２】特開平９−１０８２５４号公報
【考案の開示】
【考案が解決しようとする課題】
【０００５】
上記の特許文献１において提案されている寝返り抑制ベルトは、一本のベルトにより軽量物を縛る固定ベルトと、乳幼児を拘束する抑制ベルトとを構成し、おむつ交換を容易にしようとするものである。しかしながら、この寝返り抑制ベルトを持っていても、固定ベルトにより縛ることができる軽量物が周囲になければ、単体では寝返り抑制ベルトを使用することができない。また、ベルトを縛る対象の軽量物として適切なものを選び、かつ乳児を縛る位置を調整しなければ、乳児の起き上がりの動作を防止できない。
【０００６】
また、上記特許文献２において提案されている暴れ防止具は、板に設けた穴に、マジックテープ（登録商標）付きのベルトを通して、ベルトにより乳幼児の腕または肩を固定している。しかしながら、このベルトは乳幼児の腕または肩を固定するものであり、左右の腕または肩それぞれについて着脱部がついたベルトが必要となり、器具の製造工程が煩雑であり、コストも嵩む。また、乳幼児にベルトを装着する際には、両腕または両肩を固定する作業は左右について合計２回必要となり、作業が煩雑である。このように上記の暴れ防止具は作業性が悪い。また、乳幼児の腕または肩を固定した場合には、寝返りの防止はできても乳幼児の腰を浮かせる動作を防止することができない。
【０００７】
本考案は、このような事情に鑑みてなされたものであり、単体で用いることができ、一回の作業で乳幼児を拘束できる拘束用具を提供することを目的とする。
【課題を解決するための手段】
【０００８】
（１）上記の目的を達成するため、本考案の拘束用具は、乳幼児を仰臥または伏臥の状態で拘束する拘束用具であって、木材または樹脂により形成された板状体と、前記板状体の一方の主面上に一端が固定された一対の帯状体と、前記一対の帯状体の他端を相互に連結させる連結手段と、を備えることを特徴としている。
【０００９】
このように、本考案の拘束用具は、板状体上で帯状体により乳幼児を拘束するため、おむつを交換する際に乳幼児の寝返りや起き上がりを防止することができる。その結果、おむつ交換に費やされる手間や労力を軽減することができる。また、その構成に板状体を含んでいるため、周囲に縛ることができる軽量物等が無くても、単体で用いることができる。
【００１０】
また、本考案の拘束用具は、一対の帯状体について一つの連結手段が設けられているため、製造工程が簡易となり、製造コストを下げることができる。そして、乳幼児にベルトを装着する際には、胸部または腹部を固定する一回の作業のみであるため、作業が容易である。すなわち、本考案の拘束用具を用いればワンタッチで作業が完了するため、作業性を向上させることができる。
【００１１】
さらに、おむつの交換だけではなく、服の着替えなどにも拘束用具を利用することができる。たとえば、シャツの袖に腕を通した状態で、乳児を拘束用具に拘束することで、シャツのボタンをかけるのが容易になる。また、そのままズボンをはかせるのも容易になる。
【００１２】
また、帯状体の一端は板状体の主面に固定されているため、乳幼児を固定したときに帯状体が乳幼児の動きにつられて動くのを防止することができる。
【００１３】
（２）また、本考案の拘束用具は、前記一対の帯状体は、前記一対の帯状体を乳幼児の胸部または腹部上で連結して乳幼児を拘束したときに、前期板状体の中央よりも頭部側の位置で、それぞれ前記板状体に固定されていることを特徴としている。
【００１４】
このように、一対の帯状体は中央よりも乳幼児の頭部側の位置で板状体に固定されているため、一対の帯状体を連結して乳幼児の胸部または腹部を縛るときには、乳児の臀部が板状体に載ることになる。これにより、乳幼児を拘束する作業が容易になる。その際には換えのおむつを差し込むのが容易になる。また、胸部または腹部を帯状体で拘束するため、寝返りだけではなく起き上がり防止にも有効となる。
【００１５】
（３）また、本考案の拘束用具は、乳幼児を仰臥または伏臥の状態で拘束する拘束用具であって、木材または樹脂により形成された板状体と、前記板状体の一方の主面上に設けられた一対の貫通孔と、前記貫通孔に挿通された帯状体と、前記帯状体の両端を相互に連結させる連結手段と、を備えることを特徴としている。
【００１６】
このように、本考案の拘束用具は、板状体上で帯状体により乳幼児を拘束するため、おむつを交換する際に乳幼児の寝返りや起き上がりを防止することができる。その結果、おむつ交換に費やされる手間や労力を軽減することができる。また、その構成に板状体を含んでいるため、周囲に縛ることのできる軽量物等が無くても、単体で用いることができる。
【００１７】
本考案の拘束用具は、帯状体を一本のみ有しているため製造工程が簡易となり、製造コストを下げることができる。また、乳幼児に帯状体を装着する際には、胸部または腹部を固定する一回の作業のみであるため、作業が容易である。
【００１８】
さらに、おむつの交換だけではなく、服の着替えなどにも拘束用具を利用することができる。たとえば、シャツの袖に腕を通した状態で、乳児を拘束用具に拘束することで、シャツのボタンをかけるのが容易になる。また、そのままズボンをはかせるのも容易になる。
【００１９】
また、本考案の拘束用具は、帯状体が板状体に固定されていないため、帯状体と板状体とを分離して保管することができる。また、汚れた帯状体は、容易に新しいものに取り替えたり、洗濯したりすることが可能である。
【００２０】
（４）また、本考案の拘束用具は、前記一対の貫通孔は、前記帯状体の両端を乳幼児の胸部または腹部上で連結して乳幼児を拘束したときに、前期板状体の中央よりも頭部側の位置に、それぞれ設けられていることを特徴としている。
【００２１】
このように、一対の貫通孔は中央よりも乳幼児の頭部側の位置で板状体に設けられているため、帯状体の両端を連結して乳幼児の胸部または腹部を縛るときには、乳児の臀部が板状体に載ることになる。これにより、乳幼児を拘束する作業が容易になる。その際には換えのおむつを差し込むのが容易になる。また、胸部または腹部を帯状体で拘束するため、寝返りだけではなく起き上がり防止にも有効となる。
【００２２】
（５）また、本考案の拘束用具は、前記板状体は、前記一方の主面側を山折りに折曲可能にするヒンジにより連結された一対の板材から構成されていることを特徴としている。
【００２３】
これにより、使用時以外には板状体を折り畳むことができ、収納したり携帯したりすることが容易になる。また、板状体は乳幼児を上に載せる側の面を山折りにして折り畳むことはできるが、谷折りに折り畳むことはできない。その結果、乳幼児を拘束した際に乳幼児の寝返りにより、板状体がその動作に追随して変形することはない。
【考案の効果】
【００２４】
本考案の拘束用具によれば、板状体上で帯状体により乳幼児を拘束するため、おむつを交換する際に乳幼児の寝返りや起き上がりを防止することができる。その結果、おむつ交換に費やされる手間や労力を軽減することができる。また、その構成に板状体を含んでいるため、周囲に縛ることができる軽量物等が無くても、単体で用いることができる。
【００２５】
さらに、おむつの交換だけではなく、服の着替えなどにも拘束用具を利用することができる。たとえば、シャツの袖に腕を通した状態で、乳児を拘束用具に拘束することで、シャツのボタンをかけるのが容易になる。また、そのままズボンをはかせるのも容易になる。
【００２６】
本考案の拘束用具によれば、一対の帯状体は中央よりも乳幼児の頭部側の位置で板状体に固定されているため、一対の帯状体を連結して乳幼児の胸部または腹部を縛るときには、乳児の臀部が板状体にのることになる。これにより、乳幼児を拘束する作業が容易になる。その際には換えのおむつを差し込むのが容易になる。また、胸部または腹部を帯状体で拘束するため、寝返りだけではなく起き上がり防止にも有効となる。
【００２７】
また、本考案の拘束用具によれば、一対の帯状体について一つだけ連結手段が設けられているため、製造工程が簡易となり、製造コストを下げることができる。そして、乳幼児にベルトを装着する際には、胸部または腹部を固定する一回の作業のみであるため、作業が容易である。
【００２８】
また、本考案の拘束用具によれば、一対の貫通孔は中央よりも乳幼児の頭部側の位置で板状体に設けられているため、帯状体の両端を連結して乳幼児の胸部または腹部を縛るときには、乳児の臀部が板状体にのることになる。これにより、乳幼児を拘束する作業が容易になる。その際には換えのおむつを差し込むのが容易になる。また、胸部または腹部を帯状体で拘束するため、寝返りだけではなく起き上がり防止にも有効となる。
【００２９】
さらに、おむつの交換だけではなく、服の着替えなどにも拘束用具を利用することができる。たとえば、シャツの袖に腕を通した状態で、乳児を拘束用具に拘束することで、シャツのボタンをかけるのが容易になる。また、そのままズボンをはかせるのも容易になる。
【００３０】
また、本考案の拘束用具によれば、使用時以外には板状体を折り畳むことができ、収納したり携帯したりすることが容易になる。また、板状体は乳幼児を上に載せる側の面を山折りにして折り畳むことはできるが、谷折りに折り畳むことはできない。その結果、乳幼児を拘束した際に乳幼児の寝返りにより、板状体がその動作に追随して変形することはない。
【考案を実施するための最良の形態】
【００３１】
（実施形態１）
次に、本考案の実施の形態について、図面を参照しながら説明する。図１は、拘束用具１の平面図、図２は、拘束用具１の底面図である。図１に示すように、拘束用具１は、板状体２、ベルト（帯状体）３および４、組ねじ５〜８、ならびに雄面ファスナー９および雌面ファスナー９ａ（連結手段）から構成されている。このように、拘束用具１は、その構成に板状体２を含んでいるため、周囲に縛ることができる軽量物等が無くても、単体で用いることができる。
【００３２】
板状体２は、一辺３０〜４０ｃｍの正方形の板形状に形成されている。なお、板状体２の幅は、乳幼児の寝返りや起き上がりを防止するのに十分な大きさであればよく、上記の大きさに限定されない。また、板状体２の形状は、正方形に限られず、長方形等の多角形、楕円形であってもよく、寝返りや起き上がりを防止できる程度の幅および長さのある形状であれば特に限定されない。
【００３３】
板状体２は、木材、またはポリプロピレン、ポリエチレン、ポリスチレン系等の樹脂により形成されている。これにより、板状体２を丈夫で軽くすることができ、拘束用具１の持ち運びを便利にすることができる。板状体２の材料は、木粉を樹脂に混合したものであってもよい。樹脂と木粉とを混合することにより、樹脂の特徴である強度を保持しつつ、木材に近い見た目および触感を与えることができる。
【００３４】
ベルト３および４は、一方の端部（固定端）において、図１に示すように、板状体２の一方の主面２ａに組ねじ５〜８により固定されている。主面とは、板形状において厚みに方向に対向する最も広い二対の面をいう。ベルト３および４は、それらを乳幼児の胸部または腹部上で連結して乳幼児を拘束したときに、板状体２の中央よりも頭部側の位置で、それぞれ板状体２に固定されている。その結果、一対のベルト３および４を連結して乳幼児の胸部または腹部を縛るときには、乳児の臀部が板状体２に載ることになる。これにより、乳幼児を拘束する作業が容易になる。その際には換えのおむつを差し込むのが容易になる。また、胸部または腹部をベルト３および４で拘束するため、寝返りだけではなく起き上がり防止にも有効となる。ベルト３および４は、布製であり、布は天然繊維製であるか合成繊維製であるかは問わない。このように、ベルト３および４の一端は板状体２の主面に固定されているため、乳幼児を固定したときにベルト３および４が乳幼児の動きにつられて動くのを防止することができる。
【００３５】
ベルト３および４は、両方とも長さ３１０ｍｍ、幅５０ｍｍ、厚さ２ｍｍの寸法を有している。ベルト３および４の長さを３１０ｍｍ程度にすることにより、ほとんどの乳幼児のサイズに対応することができる。ただし、ベルト３および４の長さは、対象とする乳幼児のサイズにより決定され、特に３１０ｍｍに限定されることはない。ベルト３および４の幅は、乳幼児を縛ったときに寝返りや起き上がりを防止できる拘束力が生じるように５０ｍｍ程度とすることが適当であるが、特にこれに限定されない。また、ベルト３および４の厚さもベルト３が破れることのない厚さであれば十分であり、特に２ｍｍに限定されない。
【００３６】
図３は、板状体２とベルト３とを固定している部分を拡大して示す平面図、図４は、板状体２とベルト３とを固定している部分を拡大して示す底面図である。すなわち、図３および図４は、それぞれ板状体の主面２ａから見た図および主面２ｂから見た図となっている。組ねじ５および６が板状体２とベルト３とを固定している。組ねじ５〜８は、板状体２程度の厚さ用のものを用いるのが好適であるが、適宜スペーサー等を用いて、固定が強固なものとなるように調整してもよい。なお、固定するための部材としては、組ねじに代えて、ボルトナット、リベットその他の留め具を用いてもよい。なお、図示しないが同様に組ねじ７および８が板状体２とベルト４とを固定している。
【００３７】
雄面ファスナー９および雌面ファスナー９ａは、ベルト３とベルト４とを連結する連結手段として、ベルト４およびベルト３の板状体２に固定されていない側の端部（自由端）それぞれに設けられている。雄面ファスナー９はベルト４の自由端の表面に、雌面ファスナー９ａはベルト３の自由端の表面に、それぞれ固着されている。このように拘束用具１は、一対のベルトについて一対の面ファスナーが設けられているため、製造工程が簡易となり、製造コストを下げることができる。
【００３８】
面ファスナーによりベルト３およびベルト４の重なる位置を調整して着脱可能であり、乳幼児のサイズに合わせて、ベルト３とベルト４の着脱位置を調整することができる。なお、面ファスナー以外にも、連結手段として、フック、ホック等を用いることもできる。連結手段は、ベルト３およびベルト４の両方に設けられて一対で機能を果たすものであってもよいし、一方のみに設けられるようなものであってもよい。
【００３９】
次に、拘束用具１の使用例について説明する。図５は、拘束用具１の使用例を示す図である。拘束用具１を使用する際には、まずベルト３および４が固定されている側が上になるように床または机の上に拘束用具１を置き、ベルト３および４は、それぞれ自由端側を固定端側より外に配置させる。そして、乳児１０を仰臥または伏臥の状態で拘束用具１の中央に置き、最後にベルト３とベルト４とを乳児１０の胸部または腹部の上で絞りながら、雄面ファスナー９と雌面ファスナー９ａとを連結させる。このように、乳児１０にベルト３を装着する際には、胸部または腹部を固定する一回の作業のみとなるため、作業が容易である。
【００４０】
このように、乳児１０を拘束した後、乳児１０の寝返りや起き上がりを防止して、おむつを交換することができる。さらに、おむつの交換だけではなく、服の着替えなどにも利用することができる。たとえば、シャツの袖に腕を通した状態で、乳児１０を拘束具１に拘束することで、シャツのボタンをかけるのが容易になる。また、そのままズボンをはかせるのも容易になる。
【００４１】
図５は、このようにして仰臥の乳児１０を拘束用具１により拘束している状態を示している。このように、拘束用具１は、板状体２の上でベルト３により乳幼児を拘束するため、おむつを交換する際に乳幼児の寝返りや起き上がりを防止することができる。その結果、おむつ交換に費やされる手間や労力を軽減することができる。
【００４２】
（実施形態２）
上記の実施形態１では、ベルト３およびベルト４は、それぞれ組ねじ５〜８により板状体２の主面２ａ上に固定されていたが、板状体にスリット（貫通孔）を設け、そのスリットに一本のベルトを挿通して拘束用具を構成してもよい。
【００４３】
図６は、スリット１７および１８にベルトを通した拘束用具１１の平面図、図７は、拘束用具１１の底面図である。図６に示すように、拘束用具１１は、板状体１２、ベルト（帯状体）１３、雄面ファスナー１４および雌面ファスナー１４ａ（連結手段）から構成されている。
【００４４】
板状体１２は、木材、またはポリプロピレン、ポリエチレン、ポリウレタン、ポリスチレン系等の樹脂により形成されている。板状体１２の材料は、木粉を樹脂に混合したものであってもよい。板状体１２には、スリット（貫通孔）１７および１８が設けられており、ベルト１３は、スリット１７および１８に挿通されている。スリット１７および１８は、それらに挿通されるベルト１３を乳幼児の胸部または腹部上で連結して乳幼児を拘束したときに、位置が板状体２の中央よりも頭部側となるように、それぞれ板状体２に設けられている。その結果、ベルト１３の両端を連結して乳幼児の胸部または腹部を縛るときには、乳児の臀部が板状体１２に載ることになる。これにより、乳幼児を拘束する作業が容易になる。その際には換えのおむつを差し込むのが容易になる。また、胸部または腹部をベルト１３で拘束するため、寝返りだけではなく起き上がり防止にも有効となる。
【００４５】
ベルト１３は、図６および図７に示すように、板状体１２に設けられたスリット１７および１８に挿通されている。ベルト１３は、主面１２ａ側から主面１２ｂ側にスリット１７に挿通され、さらに主面１２ｂ側から主面１２ａ側にスリット１８に挿通されている。このように、拘束用具１１は、ベルト１３が板状体１２に固定されていないため、ベルト１３と板状体１２とを分離して保管することができる。また、汚れたベルト１３は、容易に新しいものに取り替えたり、洗濯したりすることが可能である。さらに分離した板状体１２を洗浄することも可能である。板状体１２がポリエチレン、ポリウレタン等の樹脂により形成されている場合には、洗浄が容易になる。
【００４６】
ベルト１３は、布製であり、天然繊維製であるか合成繊維製であるかは問わない。ベルト１３は、長さ７９０ｍｍ、幅５０ｍｍ、厚さ２ｍｍの寸法を有している。ベルト１３の長さを７９０ｍｍ程度にすることにより、ほとんどの乳幼児のサイズに対応することができる。ただし、ベルト１３の長さは、対象とする乳幼児のサイズにより決定され、特に７９０ｍｍに限定されることはない。
【００４７】
雄面ファスナー１４および雌面ファスナー１４ａは、ベルト１３を一周させて連結する連結手段として、ベルト１３の一方の端部にそれぞれ設けられている。雄面ファスナー１４はベルト１３の一方の端部の表面に、雌面ファスナー９ａはベルト１３の他方の端部の表面に、それぞれ固着している。面ファスナーによりベルト１３の両端部の重なる位置を調整して着脱可能であり、乳幼児のサイズに合わせて、ベルト１３の両端部の着脱位置を調整することができる。なお、面ファスナー以外にも、連結手段として、フック、ホック等を用いることもできる。連結手段は、ベルト１３の両端部に設けられて一対で機能を果たすものであってもよいし、一方の端部のみに設けられるようなものであってもよい。
【００４８】
（実施形態３）
上記の実施形態１では、板状体２は一枚の板材により構成されていたが、２枚の板材とそれらを連結するヒンジにより構成されていてもよい。図８は、板状体がヒンジにより連結された２枚の矩形の板材から構成されている拘束用具２１を示す平面図、図９は拘束用具２１を示す底面図である。
【００４９】
図８および図９に示すように、拘束用具２１は、板状体２２、ベルト２３および２４、ならびに雄面ファスナー２９および雌面ファスナー２９ａ（連結手段）から構成されている。
【００５０】
板状体２２は、２枚の矩形の板材３１および３２と、ヒンジ３３とから構成されている。板材３１および３２は、木材、またはポリプロピレン、ポリエチレン、ポリウレタン、ポリスチレン系等の樹脂により形成されている。板状体２２の材料は、木粉を樹脂に混合したものであってもよい。
【００５１】
図１０は、板材３１と板材３２との連結部を示す断面図である。ヒンジ３３は、板材３１と板材３２とを折り曲げ可能に連結している。板状体２２は、ベルト２３および２４が固定されている主面２２ａ側に山折りに折り曲げることは可能であるが、谷折り（主面２２ｂ側に山折り）に折ることができないような構造となっている。すなわち、図１０に示すように、ヒンジはベルト２３および２４が固定されている面の反対側の面上に設けられており、矢印Ａの方向への折り曲げは可能となっている。一方、板材３１および３２には厚みがあるため、矢印Ｂの方向への折り曲げは制限されている。
【００５２】
これにより、使用時以外には板状体２２を折り畳むことができ、収納したり携帯したりすることが容易になる。また、板状体２２は乳幼児を上に載せる側の面を山折りにして折り畳むことはできるが、谷折りに折り畳むことはできない。その結果、乳幼児を拘束した際に乳幼児の寝返りにより、板状体２２がその動作に追随して変形することはない。なお、ヒンジは、一対の部材を揺動可能に連結するものであれば、特に図８に示す形態のヒンジ３３に限られない。
【００５３】
ベルト２３および２４は、一方の端部（固定端）において、板状体２２の一方の主面２２ａに組ねじ２５〜２８により固定されている。ベルト２３および２４は、それらを乳幼児の胸部または腹部上で連結して乳幼児を拘束したときに、板状体２２の中央よりも頭部側の位置で、それぞれ板状体２２に固定されている。その結果、一対のベルト２３および２４を連結して乳幼児の胸部または腹部を縛るときには、乳児の臀部が板状体２２に載ることになる。これにより、乳幼児を拘束する作業が容易になる。その際には換えのおむつを差し込むのが容易になる。また、胸部または腹部をベルト２３および２４で拘束するため、寝返りだけではなく起き上がり防止にも有効となる。ベルト２３および２４は、布製であり、布は天然繊維製であるか合成繊維製であるかは問わない。
【００５４】
ベルト２３および２４は、両方とも長さ３１０ｍｍ、幅５０ｍｍ、厚さ２ｍｍの寸法を有している。ベルト２３および２４の長さを３１０ｍｍ程度にすることにより、ほとんどの乳幼児のサイズに対応することができる。ただし、ベルト２３および２４の長さは、対象とする乳幼児のサイズにより決定され、特に３１０ｍｍに限定されることはない。ベルト２３および２４の幅は、乳幼児を縛ったときに寝返りや起き上がりを防止できる拘束力が生じるように５０ｍｍ程度とすることが適当であるが、特にこれに限定されない。また、ベルト２３および２４の厚さもベルト３が破れることのない厚さであれば十分であり、特に２ｍｍに限定されない。
【００５５】
組ねじ２５および２６は板材３１とベルト２３とを固定している。組ねじ２５〜２８は、板状体２２程度の厚さ用のものを用いるのが好適であるが、適宜スペーサー等を用いて、固定が強固なものとなるように調整してもよい。なお、固定するための部材としては、組ねじに代えて、ボルトナット、リベットその他の留め具を用いてもよい。なお、図示しないが同様に組ねじ２７および２８が板材３２とベルト２４とを固定している。
【００５６】
雄面ファスナー２９および雌面ファスナー２９ａは、ベルト２３とベルト２４とを連結する連結手段である。ベルト２４の板状体２に固定されていない側の端部（自由端）に設けられている。雄面ファスナー２９は、ベルト２４の自由端の表面に固着されている。雌面ファスナー２９ａは、ベルト２３の自由端の表面に固着されている。このように拘束用具２１は、一対のベルト２３および２４について一対の面ファスナーが設けられているため、製造工程が簡易となり、製造コストを下げることができる。
【００５７】
面ファスナーによりベルト２３およびベルト２４の重なる位置を調整して着脱することが可能であり、乳幼児のサイズに合わせて、ベルト２３とベルト２４の着脱位置を調整することができる。なお、面ファスナー以外にも、連結手段として、フック、ホック等を用いることもできる。連結手段は、ベルト２３およびベルト２４の両方に設けられて一対で機能を果たすものであってもよいし、一方のみに設けられるようなものであってもよい。また、板材３１および板材３２の主面２２ｂ上に、ヒンジ３３と概略同一の厚みを有する緩衝材、例えば、ゴム片やプラスチック片を設けても良い。具体的には、主面２２ｂの四隅にこれらの緩衝材を設けるのである。これにより、床や机の上などに拘束用具を置いたときに、板材３１および板材３２が安定すると共に、拘束用具がすべることを防止することができる。
【図面の簡単な説明】
【００５８】
【図１】本考案に係る拘束用具の第１の実施形態を示す平面図である。
【図２】本考案に係る拘束用具の第１の実施形態を示す底面図である。
【図３】板状体と帯状体との固定部分を示す平面図である。
【図４】板状体と帯状体との固定部分を示す底面図である。
【図５】本考案に係る拘束用具の使用例を示す図である。
【図６】本考案に係る拘束用具の第２の実施形態を示す平面図である。
【図７】本考案に係る拘束用具の第２の実施形態を示す底面図である。
【図８】本考案に係る拘束用具の第３の実施形態を示す平面図である。
【図９】本考案に係る拘束用具の第３の実施形態を示す底面図である。
【図１０】板材の連結部を示す断面図である。
【符号の説明】
【００５９】
１、１１、２１  拘束用具
２、１２、２２  板状体
２ａ、２ｂ、１２ａ、１２ｂ、２２ａ、２２ｂ  主面
３、４、１３、２３、２４  ベルト（帯状体）
５〜８、２５〜２８  組ねじ
９、１４、２９  雄面ファスナー（連結手段）
９ａ、１４ａ、２９ａ  雌面ファスナー（連結手段）
１０  乳児
１７、１８  スリット（貫通孔）
３１、３２  板材
３３  ヒンジ
【図１】
0003110622.tif 000003
【図２】
0003110622.tif 000004
【図３】
0003110622.tif 000005
【図４】
0003110622.tif 000006
【図５】
0003110622.tif 000007
【図６】
0003110622.tif 000008
【図７】
0003110622.tif 000009
【図８】
0003110622.tif 000010
【図９】
0003110622.tif 000011
【図１０】
0003110622.tif 000012